(57)【要約】【課題】釣銭準備金を作成するための機構を省略してコスト増加や設置スペースの制約による負担を軽減することが可能な売上金入金機を提供する。【解決手段】操作モードが釣銭準備金作成モードのときに、操作手段２９ａを介して貨幣の金種毎の枚数を含む一の釣銭準備金情報の操作入力がなされ、さらに収納庫の貨幣が取り出されたことが検知されてホッパ６へ貨幣が投入された場合、投入された貨幣を識別計数部１１により識別計数させ、この識別計数された貨幣の中から釣銭準備金情報に含まれる金種毎の枚数に応じた貨幣を釣銭準備金としてリジェクト手段からリジェクトさせると共に、識別計数部１１により識別計数された貨幣のうち、釣銭準備金を除く残りの貨幣を、一時貯留部に貯留した後、収納庫へ収納するか又は返却容器に返却させる。【選択図】図７
2011065381.tif 000002
【特許請求の範囲】
【請求項１】
貨幣を投入する投入手段と、
該投入手段に投入された貨幣を識別計数する識別計数部と、
該識別計数部により識別計数された前記貨幣の搬送制御を行う制御部と、
ユーザによる操作入力が可能な操作手段と、
入金モードおよび釣銭準備金作成モードを含む操作モードを切替える切り換え手段と、
前記操作モードが入金モードのときに、前記識別計数部により正常に識別されなかった貨幣をリジェクトするリジェクト手段と、
前記操作モードが入金モードのときに、前記識別計数部により正常に識別された貨幣を一時的に貯留する一時貯留部と、
該一時貯留部に一時的に貯留された貨幣を受け入れて該貨幣を返却する返却容器と、
前記一時貯留部に一時的に貯留された貨幣を収納する収納庫と、
該収納庫の機外への取り出しを検知する収納取り出し検知部とを備える売上金入金機であって、
前記制御部は、
前記操作モードが釣銭準備金作成モードのときに、前記操作手段を介して貨幣の金種毎の枚数を含む一の釣銭準備金情報の操作入力がなされ、さらに前記収納庫の貨幣が取り出されたことが検知されて前記投入手段へ貨幣が投入された場合、投入された前記貨幣を前記識別計数部により識別計数させ、該識別計数された貨幣の中から前記釣銭準備金情報に含まれる金種毎の枚数に応じた貨幣を釣銭準備金としてリジェクト手段によりリジェクトさせると共に、
前記識別計数部により識別計数された貨幣のうち、前記釣銭準備金を除く残りの貨幣を、前記一時貯留部に貯留した後、前記収納庫へ収納、又は前記返却容器に返却させる搬送制御を行うことを特徴とする売上金入金機。
【請求項２】
前記操作モードが釣銭準備金作成モードのときに、前記投入手段へ投入される貨幣は、前記収納庫に収納されている全ての貨幣であり、
前記制御部は、
前記釣銭準備金作成モードのときに前記収納庫に収納されている全ての貨幣のうち前記リジェクト手段によりリジェクトされる釣銭準備金を除いた残りの貨幣を前記一時貯留部に貯留させた後に前記収納庫に収納させることを特徴とする請求項１に記載の売上金入金機。
【請求項３】
前記投入手段へ投入される貨幣は、前記収納庫に収納されている全ての貨幣であり、
前記返却容器に返却された貨幣の残留を検知する返却貨幣検知部を備え、
前記制御部は、前記釣銭準備金作成モードで釣銭準備金が作成されて釣銭準備金を除く残りの貨幣が収納庫に収納されるか、または返却容器に返却された後に、貨幣が収納された前記収納庫が機外に取り出されるか、または返却容器に返却された貨幣が取り除かれ、前記投入手段に貨幣が再度投入された場合、前記切り換え手段により前記操作モードを前記入金モードに切り換えさせて、前記貨幣を前記識別計数部により識別計数させ、一時貯留部に貯留させた後に前記収納庫に収納させることを特徴とする請求項１に記載の売上金入金機。
【請求項４】
前記識別計数部による識別計数結果をユーザへ報知する報知手段を備え、
前記投入手段へ投入される貨幣は、前記収納庫に収納されている全ての貨幣であり、
前記制御部は、前記操作モードが釣銭準備金作成モードのときに、前記投入手段へ投入された貨幣の中から前記釣銭準備金を除いた残りの貨幣を、前記一時貯留部に貯留させた後に前記返却容器に返却させて、その後前記返却容器に返却させた貨幣が取り除かれたことが検知された後に前記投入手段へ貨幣が投入された場合には、前記切り換え手段により前記操作モードを前記入金モードへ切り換え、前記投入手段へ投入された貨幣を前記識別計数部により識別計数させて識別計数結果を前記報知手段により報知させ、前記操作入力手段を介して識別計数結果の確認操作が入力された場合に、前記一時貯留部に貯留されている貨幣を前記収納庫に収納させることを特徴とする請求項１又は３に記載の売上金入金機。
【請求項５】
前記制御部は、釣銭準備金の作成を開始する前に前記収納庫に収納されていた貨幣の金額と前記釣銭準備金としてリジェクトされた貨幣の金額との差額を求め、この差額と、前記投入手段に投入された貨幣から前記釣銭準備金を除いた残りの貨幣を、前記入金モードで前記識別計数部により識別計数して求めた金額との一致を確認する確認手段を備えることを特徴とする請求項２乃至４の何れか一項に記載の売上金入金機。
【請求項６】
貨幣が金種混合で収納される複数の前記収納庫を備え、
前記制御部は、
前記操作モードが釣銭準備金作成モードのときに、前記操作手段から一の釣銭準備金情報の操作入力がなされると、各収納庫に収納された貨幣の金種毎の枚数情報と、前記釣銭準備金情報に含まれる金種毎の枚数情報とを比較する比較手段と、
該比較手段による比較結果に基づき、前記収納庫に収納されている貨幣の金種毎の枚数が前記釣銭準備金情報に含まれる金種毎の枚数以上である収納庫を特定し、該収納庫に収納されている貨幣の前記投入手段への投入を案内する案内手段とを備えることを特徴とする請求項２乃至５の何れか一項に記載の売上金入金機。
【請求項７】
前記案内手段は、収納されている貨幣の金種毎の枚数が前記釣銭準備金情報に含まれる金種毎の枚数以上となっている前記収納庫が複数特定された場合、この特定された収納庫の中から在り高が最も少ない収納庫をさらに特定して、この収納庫に収納されている貨幣の前記投入手段への投入を案内することを特徴とする請求項６に記載の売上金入金機。
【請求項８】
前記案内手段は、収納されている貨幣の金種毎の枚数が前記釣銭準備金情報に含まれる金種毎の枚数以上となっている前記収納庫が特定されない場合、収納された貨幣の金種毎の枚数の和が前記釣銭準備金情報に含まれる金種毎の枚数以上となる複数の前記収納庫を特定して、これら複数の前記収納庫に収納されている貨幣の前記投入手段への投入を案内することを特徴とする請求項６又は７に記載の売上金入金機。
【請求項９】
複数設けられた前記収納庫に一対一でそれぞれ対応する複数の前記一時貯留部を備え、
前記制御部は、釣銭準備金作成モードのときに、前記案内手段により貨幣の投入を案内された収納庫が機外に取り出されて貨幣が前記投入手段に投入されると、前記識別計数部により前記貨幣を識別計数させ、前記釣銭準備金を除く残りの貨幣を、複数の前記一時貯留部の何れか一つに貯留させた後、前記返却容器に返却させ、この返却容器に返却された貨幣が取り除かれたことが検知されて前記投入手段に貨幣が投入されると、該貨幣を前記入金モードで前記識別計数部により識別計数させ、前記案内手段により案内された前記収納庫に対応する一時貯留部に貯留させた後、前記収納庫に収納させることを特徴とする請求項６乃至８の何れか一項に記載の売上金入金機。
【請求項１０】
前記リジェクト手段によりリジェクトされた貨幣を受け入れるリジェクト容器から貨幣が取り除かれたことを検知するリジェクト状態検知部を備え、
前記制御部は、釣銭準備金作成モードのときに、少なくとも前記リジェクト容器が満杯状態になったと判定されるかまたは、複数の前記一時貯留部の全てが満杯状態になったと判定された場合に、前記識別計数部による識別計数動作を中断し、前記一時貯留部が満杯状態である場合には該一時貯留部に貯留された貨幣を前記返却容器に返却させ、前記リジェクト容器の貨幣および前記返却容器の貨幣が取り除かれたことが検知された後に、中断した前記識別計数部による識別計数動作を再開して、この再開後に前記リジェクト手段からリジェクトした貨幣と、既に前記リジェクト容器から取り除かれた貨幣との合計が前記釣銭準備金情報に含まれる金種毎の枚数に達した場合に前記釣銭準備金の作成動作を終了する一方、前記釣銭準備金のリジェクトと共に、前記一時貯留部に貯留させた前記釣銭準備金を除いた残りの貨幣を前記返却容器に返却させて、該貨幣が取り除かれたことが検知された場合に、前記投入手段に投入された貨幣を前記入金モードで前記識別計数部により識別計数させて複数の一時貯留部のうち何れか一つの一時貯留部に貯留させた後、該一時貯留部に対応する前記収納庫に収納させることを特徴とする請求項６乃至９の何れか一項に記載の売上金入金機。
【発明の詳細な説明】
【技術分野】
【０００１】
この発明は、売上金を入金可能な売上金入金機に関するものである。
【背景技術】
【０００２】
従来、テナント等の売上金を入金可能な貨幣処理機が知られている。この貨幣処理機にあっては、売上金の入金と釣銭準備金の出金とを同時に処理することで、適正な釣銭準備金を用意しつつ、釣銭準備金の準備のための負担を低減可能にしたものがある（例えば、特許文献１参照）。
【先行技術文献】
【特許文献】
【０００３】
【特許文献１】特開２００８−１９１８６１号公報
【発明の概要】
【発明が解決しようとする課題】
【０００４】
しかしながら、上述した貨幣処理機は、売上金の入金に加えて釣銭準備金を準備するための専用の機構を備えていることで、売上金の入金だけを行う売上金入金機と比較して部品点数が多くコストが増加してしまうとともに装置が大型化して広い設置スペースが必要となるため、小規模なスーパー等の店舗にとっては大きな負担になってしまうという課題がある。
【０００５】
そこで、この発明は、釣銭準備金を作成するための機構を省略してコスト増加や設置スペースの制約による負担を軽減することが可能な売上金入金機を提供するものである。
【課題を解決するための手段】
【０００６】
上記の課題を解決するために、請求項１に記載した発明は、貨幣を投入する投入手段（例えば、実施形態におけるホッパ６）と、該投入手段に投入された貨幣を識別計数する識別計数部（例えば、実施形態における識別計数部１１）と、該識別計数部により識別計数された前記貨幣の搬送制御を行う制御部（例えば、実施形態における制御部２８）と、ユーザによる操作入力が可能な操作手段（例えば、実施形態における操作手段２９ａ）と、入金モードおよび釣銭準備金作成モードを含む操作モードを切替える切り換え手段（例えば、実施形態における切り換え手段４４）と、前記操作モードが入金モードのときに、前記識別計数部により正常に識別されなかった貨幣をリジェクトするリジェクト手段（例えば、実施形態におけるリジェクト手段２０）と、前記操作モードが入金モードのときに、前記識別計数部により正常に識別された貨幣を一時的に貯留する一時貯留部（例えば、実施形態における一時貯留部２１ａ〜２１ｆ）と、該一時貯留部に一時的に貯留された貨幣を受け入れて該貨幣を返却する返却容器（例えば、実施形態における返却ボックス２６）と、前記一時貯留部に一時的に貯留された貨幣を収納する収納庫（例えば、実施形態における収納庫２７ａ〜２７ｆ）と、該収納庫の機外への取り出しを検知する収納取り出し検知部（例えば、実施形態における収納取り出し検知部３７）とを備える売上金入金機であって、前記制御部は、前記操作モードが釣銭準備金作成モードのときに、前記操作手段を介して貨幣の金種毎の枚数を含む一の釣銭準備金情報の操作入力がなされ、さらに前記収納庫の貨幣が取り出されたことが検知されて前記投入手段へ貨幣が投入された場合、投入された前記貨幣を前記識別計数部により識別計数させ、該識別計数された貨幣の中から前記釣銭準備金情報に含まれる金種毎の枚数に応じた貨幣を釣銭準備金としてリジェクト手段からリジェクトさせると共に、前記識別計数部により識別計数された貨幣のうち、前記釣銭準備金を除く残りの貨幣を、前記一時貯留部に貯留した後、前記収納庫へ収納、又は前記返却容器に返却させる搬送制御を行うことを特徴とする。
【０００７】
請求項２に記載した発明は、請求項１に記載の発明において、前記操作モードが釣銭準備金作成モードのときに、前記投入手段へ投入される貨幣が、前記収納庫に収納されている全ての貨幣であり、前記制御部は、前記釣銭準備金作成モードのときに前記収納庫に収納されている全ての貨幣のうち前記リジェクト手段からリジェクトされる釣銭準備金を除いた残りの貨幣を前記一時貯留部に貯留させた後に前記収納庫に収納させることを特徴とする。
【０００８】
請求項３に記載した発明は、請求項１に記載の発明において、前記投入手段へ投入される貨幣が、前記収納庫に収納されている全ての貨幣であり、前記返却容器に返却された貨幣の残留を検知する返却貨幣検知部（例えば、実施形態における返却貨幣検知部４０）を備え、前記制御部は、前記釣銭準備金作成モードで釣銭準備金が作成されて釣銭準備金を除く残りの貨幣が収納庫に収納されるか、または返却容器に返却された後に、貨幣が収納された前記収納庫が機外に取り出されるか、または返却容器に返却された貨幣が取り除かれ、前記投入手段に貨幣が再度投入された場合、前記切り換え手段により前記操作モードを前記入金モードに切り換えさせて、前記貨幣を前記識別計数部により識別計数させ、一時貯留部に貯留させた後に前記収納庫に収納させることを特徴とする。
【０００９】
請求項４に記載した発明は、請求項１又は３に記載の発明において、前記識別計数部による識別計数結果をユーザへ報知する報知手段（例えば、実施形態における報知手段２９ｂ）を備え、前記投入手段へ投入される貨幣は、前記収納庫に収納されている全ての貨幣であり、前記制御部は、前記操作モードが釣銭準備金作成モードのときに、前記投入手段へ投入された貨幣の中から前記釣銭準備金を除いた残りの貨幣を、前記一時貯留部に貯留させた後に前記返却容器に返却させて、その後前記返却容器に返却させた貨幣が取り除かれたことが検知された後に前記投入手段へ貨幣が投入された場合には、前記切り換え手段により前記操作モードを前記入金モードへ切り換え、前記投入手段へ投入された貨幣を前記識別計数部により識別計数させて識別計数結果を前記報知手段により報知させ、前記操作入力手段を介して識別計数結果の確認操作が入力された場合に、前記一時貯留部に貯留されている貨幣を前記収納庫に収納させることを特徴とする。
【００１０】
請求項５に記載した発明は、請求項２乃至４の何れか一項に記載の発明において、前記制御部は、釣銭準備金の作成を開始する前に前記収納庫に収納されていた貨幣の金額と、釣銭準備金作成モードで前記釣銭準備金としてリジェクトされた貨幣の金額との差額を求め、この差額と、前記投入手段に投入された貨幣から前記釣銭準備金を除いた残りの貨幣を、入金モードに切り換えて前記識別計数部により識別計数して求めた金額との一致を確認する確認手段（例えば、実施形態における確認手段４５）を備えることを特徴とする。
【００１１】
請求項６に記載した発明は、請求項２乃至５の何れか一項に記載の発明において、貨幣が金種混合で収納される複数の前記収納庫を備え、前記制御部は、前記操作モードが釣銭準備金作成モードのときに、前記操作手段から一の釣銭準備金情報の操作入力がなされると、各収納庫に収納された貨幣の金種毎の枚数情報と、前記釣銭準備金情報に含まれる金種毎の枚数情報とを比較する比較手段（例えば、実施形態における比較手段４２）と、該比較手段による比較結果に基づき、前記収納庫に収納されている貨幣の金種毎の枚数が前記釣銭準備金情報に含まれる金種毎の枚数以上である収納庫を特定し、該収納庫に収納されている貨幣の前記投入手段への投入を案内する案内手段（例えば、実施形態における案内手段４３）とを備えることを特徴とする。
【００１２】
請求項７に記載した発明は、請求項６に記載の発明において、前記案内手段は、収納されている貨幣の金種毎の枚数が前記釣銭準備金情報に含まれる金種毎の枚数以上となっている前記収納庫が複数特定された場合、この特定された収納庫の中から在り高が最も少ない収納庫をさらに特定して、この収納庫に収納されている貨幣の前記投入手段への投入を案内することを特徴とする。
【００１３】
請求項８に記載した発明は、請求項６又は７に記載の発明において、前記案内手段は、収納されている貨幣の金種毎の枚数が前記釣銭準備金情報に含まれる金種毎の枚数以上となっている前記収納庫が特定されない場合、収納された貨幣の金種毎の枚数の和が前記釣銭準備金情報に含まれる金種毎の枚数以上となる複数の前記収納庫を特定して、これら複数の前記収納庫に収納されている貨幣の前記投入手段への投入を案内することを特徴とする。
【００１４】
請求項９に記載した発明は、請求項６乃至８の何れか一項に記載の発明において、複数設けられた前記収納庫に一対一でそれぞれ対応する複数の前記一時貯留部を備え、前記制御部は、釣銭準備金作成モードのときに、前記案内手段により貨幣の投入を案内された収納庫が機外に取り出されて貨幣が前記投入手段に投入されると、前記識別計数部により前記貨幣を識別計数させ、前記釣銭準備金を除く残りの貨幣を、複数の前記一時貯留部の何れか一つに貯留させた後、前記返却容器に返却させ、この返却容器に返却された貨幣が取り除かれたことが検知されて前記投入手段に貨幣が投入されると、該貨幣を前記入金モードで前記識別計数部により識別計数させ、前記案内手段により案内された前記収納庫に対応する一時貯留部に貯留させた後、前記収納庫に収納させることを特徴とする。
【００１５】
請求項１０に記載した発明は、請求項６乃至９の何れか一項に記載の発明において、前記リジェクト手段によりリジェクトされた貨幣を受け入れるリジェクト容器から貨幣が取り除かれたことを検知するリジェクト状態検知部（例えば、実施形態におけるリジェクト状態検知部４１）を備え、前記制御部は、釣銭準備金作成モードのときに、少なくとも前記リジェクト容器が満杯状態になったと判定されるかまたは、複数の前記一時貯留部の全てが満杯状態になったと判定された場合に、前記識別計数部による識別計数動作を中断し、前記一時貯留部が満杯状態である場合には該一時貯留部に貯留された貨幣を前記返却容器に返却させて、前記リジェクト容器の貨幣および前記返却容器の貨幣が取り除かれたことが検知された後に、中断した前記識別計数部による識別計数動作を再開して、この再開後に前記リジェクト手段からリジェクトした貨幣と、既に前記リジェクト容器から取り除かれた貨幣との合計が前記釣銭準備金情報に含まれる金種毎の枚数に達した場合に前記釣銭準備金の作成動作を終了する一方、前記釣銭準備金のリジェクトと共に、前記一時貯留部に貯留させた前記釣銭準備金を除いた残りの貨幣を前記返却容器に返却させ、該貨幣が取り除かれたことが検知された場合に、前記投入手段に投入された貨幣を前記入金モードで前記識別計数部により識別計数させて複数の一時貯留部のうち何れか一つの一時貯留部に貯留させた後、該一時貯留部に対応する前記収納庫に収納させることを特徴とする。
【発明の効果】
【００１６】
請求項１に記載した発明によれば、通常の操作モードである入金モードのときに、投入手段へ投入された貨幣を識別計数部により識別計数して正常に識別されなかった貨幣をリジェクトする一方、正常に識別された貨幣を一時貯留部に一時貯留した後、収納庫へ収納することができると共に、操作入力手段へ釣銭準備金情報が入力され、操作モードが釣銭準備金を作成する釣銭準備金作成モードに切り換えられ、収納庫が機外に取り出されて投入手段に貨幣が投入されると、この投入された貨幣の中から釣銭準備金情報に含まれる金種毎の枚数に応じた釣銭準備金をリジェクト手段からリジェクトする一方、投入された貨幣のうち釣銭準備金としてリジェクトされたものを除く残りの貨幣を一時貯留部に貯留した後、収納庫または返却容器へ搬送することができる。従って、入金を行う機構を有効利用して釣銭準備用の専用の機構を設けることなしに釣銭準備金を作成することができるため、釣銭準備用の専用の機構を設けた場合と比較して部品点数を低減しコストの増加および装置の大型化を抑制しつつ、釣銭準備金の準備のための負担を軽減することができる効果がある。
さらに、入金モードで適正に識別された収納庫に収納されている貨幣を用いて釣銭準備金を作成するので、例えば、貨幣の斜行やニアフィードが生じたとしても当該貨幣をリジェクトせずに一時貯留部へ貯留させた後に収納庫へ収納または返却容器へ返却させればよいため、迅速に釣銭準備金の作成を行うことができる効果がある。
【００１７】
請求項２に記載した発明によれば、収納庫に収納されている一部の貨幣ではなく全ての貨幣が投入手段に投入されるので、釣銭準備金を作成する際のユーザの操作手順が統一され、操作間違いを低減することができ、さらに釣銭準備金が収納庫に収納されている貨幣の範囲内であれば貨幣の不足により釣銭準備金を作成する処理が中断されるのを防止することができる効果がある。
また、収納庫に収納されている全ての貨幣が識別計数部により識別計数されることとなるため、釣銭準備金を作成しながら計数精査を行うことができる効果がある。
【００１８】
請求項３に記載した発明によれば、釣銭準備金作成モードで釣銭準備金が作成された後に返却容器に返却されるかまたは収納庫に収納された釣銭準備金を除いた残りの貨幣が、返却貨幣検知部と収納取り出し検知部とにより取り除かれるか又は機外に取り出されたことが検知された場合に、貨幣が投入手段へ投入されると、入金モードに切り換えてこの貨幣を識別計数することができるため、とりわけ釣銭準備金を作成する際に正常に識別計数できなかった貨幣がある場合に、釣銭準備金を除いた残りの貨幣の金種および枚数が正しいか否かを再度確認することができる。
【００１９】
請求項４に記載した発明によれば、釣銭準備金を除いた残りの貨幣が返却容器から取り除かれて投入手段に投入されると、当該貨幣を再度識別計数して一時貯留部に貯留し、識別計数結果を報知手段によりユーザへ報知して確認された後に一時貯留部に貯留された貨幣を収納庫に収納するので、釣銭準備金を除いた残りの貨幣の金種および枚数が適正であることを確認しながら釣銭準備金の作成を行うことができる。
【００２０】
請求項５に記載した発明によれば、釣銭準備金作成前に収納庫に収納されていた貨幣の金額と釣銭準備金の金額との差額が、入金モードに切り換えて識別計数した結果、確認手段によって釣銭準備金を除いた残りの貨幣の金額に一致していない場合には、収納庫や返却容器から投入手段へ貨幣を移動させる際に貨幣の遺失や抜き取り等の事故が発生したと推定できるので、釣銭準備金の作成作業中の事故を防止することができる。
【００２１】
請求項６に記載した発明によれば、複数の収納庫を備えている場合、釣銭準備金を作成する際に、比較手段により各収納庫に収納されている貨幣の金種毎の枚数情報と操作入力された釣銭準備金情報とを比較し、この比較結果に基づき案内手段が最適な収納庫を報知手段を介して案内するため、収納庫の機外への取り出しを円滑に行うことができる効果がある。
【００２２】
請求項７に記載した発明によれば、収納されている貨幣の金種毎の枚数が釣銭準備金情報に含まれる金種毎の枚数以上となっている収納庫が複数特定された場合に、特定された収納庫の中から在り高が最も少ない収納庫を特定することで、残額確認にかかる時間を短縮することができるため、貨幣の識別計数にかかる時間効率を向上することができる。また、在り高が最も少ない収納庫を特定することで、次に行われる他の釣銭準備金の作成処理時にも、一つの収納庫の貨幣で作成可能な釣銭準備金の上限を維持することができる効果がある。
【００２３】
請求項８に記載した発明によれば、収納されている貨幣の金種毎の枚数の和が釣銭準備金情報に含まれる金種毎の枚数以上となる複数の収納庫を特定することで、釣銭準備金情報に含まれる金種毎の枚数の条件を満たさない収納庫しかなく複数の収納庫の機外への取り出しが必要となる場合であっても、案内手段によって取り出すべき複数の収納庫を案内することができるため、釣銭準備金を作成する際に、複数の収納庫の機外への取り出しを円滑に行うことができる効果がある。
【００２４】
請求項９に記載した発明によれば、複数の一時貯留部を設けていることで、通常の入金モードのときには、例えば、一つの貯留手段が満杯になったら次の貯留手段に貯留し、さらに次の貯留手段が満杯になったらさらに次の貯留手段に貯留して、その後、それぞれの貯留手段に貯留された貨幣をそれぞれに対応した収納庫に収納することができる。
また、釣銭作成モードの時には、釣銭準備金を作成するべくユーザにより収納庫が機外に取り出されて収納庫の貨幣が投入手段に投入されると、釣銭準備金を作成してリジェクトする一方、この釣銭準備金を除く残りの貨幣を一時貯留部の何れか一つに貯留した後、この貯留した貨幣を返却容器に返却し、次いで、ユーザにより返却容器の貨幣が取り除かれて投入手段に投入されると、この貨幣を識別計数して、この識別計数された貨幣を案内手段により案内された収納庫に対応する一時貯留部に貯留した後、案内手段により案内された収納庫に収納することができる。したがって、複数の収納庫に加え、複数の一時貯留部が設けられている場合に、釣銭準備金を除く残りの貨幣を元々収納されていた収納庫に確実に戻すことが可能となる。
【００２５】
請求項１０に記載した発明によれば、リジェクト容器が満杯状態になった場合や、一時貯留部の全てが満杯状態になった場合に、識別計数動作を中断するため、リジェクト容器や一時貯留部の貨幣を取り除くことができ、さらに、リジェクト容器や一時貯留部の満杯状態が解消されると識別計数動作を再開し、識別計数動作の中断の前後にリジェクトされた貨幣の金種毎の枚数の合計が釣銭準備金情報の金種毎の枚数に達した場合に釣銭準備金の作成動作を終了うることができる。また、釣銭準備金である貨幣のリジェクトと共に、一時貯留部に貯留している釣銭準備金を除いた残りの貨幣を返却容器に返却するので、この返却した貨幣がユーザにより再度投入手段へ投入されると、入金モードに自動的に切り換えて識別計数することができる。この際、リジェクト容器や一時貯留部の満杯状態により識別計数部による貨幣の識別計数を中断したとしても、満杯状態が解消された時点で釣銭準備金の作成を再開するので、中断が生じていないときと同様に釣銭準備金のリジェクトや釣銭準備金を除く残りの貨幣の収納を完了することができる。
【図面の簡単な説明】
【００２６】
【図１】本発明の実施形態における売上金入金機の全体構成を概略的に示す斜視図である。
【図２】本発明の実施形態における売上金入金機を概略的に示す側断面図である。
【図３】同売上金入金機の下部構成を概略的に示す別の側断面図である。
【図４】同売上金入金機の下部構成を概略的に示す正断面図であって、側壁部形成体および底部形成体の両方が第１の位置に位置する状態を示すものである。
【図５】同売上金入金機の下部構成を概略的に示す正断面図であって、側壁部形成体が第１の位置にあり、底部形成体が第２の位置にある状態を示すものである。
【図６】同売上金入金機の下部構成を概略的に示す正断面図であって、側壁部形成体が第２の位置にあり、底部形成体が第１の位置にある状態を示すものである。
【図７】同売上金入金機の概略構成を示すブロック図である。
【図８】釣銭準備金の作成処理を示すフローチャートである。
【図９】釣銭準備金の作成処理における袋回収処理を示すフローチャートである。
【図１０】釣銭準備金の作成処理における釣銭作成処理を示すフローチャートである。
【図１１】釣銭準備金の作成処理における収納庫戻し処理を示すフローチャートである。
【図１２】釣銭準備金の作成処理を実行しているときに作成パターンの選択によって釣銭準備金情報を入力するための初期画面の一例を示す図である。
【図１３】釣銭準備金の作成処理を実行しているときに釣銭準備金情報を直接入力する初期画面の一例を示す図である。
【図１４】図１２の初期画面において作成パターンを選択した際に作成パターンの内容を表示する画面を示す図である。
【図１５】袋回収処理を実行しているときに表示される収納庫回収画面の一例を示す図である。
【図１６】袋回収処理を実行しているときに表示される収納庫交換画面の一例を示す図である。
【図１７】収納庫交換のメッセージを表示した図１６の収納庫交換画面に相当する図である。
【図１８】釣銭作成処理を実行しているときに表示される金種一覧画面の一例を示す図である。
【図１９】釣銭作成処理を実行しているときに表示される釣銭作成画面の一例を示す図である。
【図２０】収納庫戻し処理を実行しているときに表示される計数開始画面の一例を示す図である。
【図２１】収納庫戻し処理を実行しているときに表示される硬貨金種明細画面の一例を示す図である。
【発明を実施するための形態】
【００２７】
本発明の一実施形態の売上金入金機について図面を参照しながら説明する。なお、以下の説明における前後左右は、売上金入金機Ｍ１の前（操作者から見て手前側）、売上金入金機Ｍ１の後（操作者から見て奥側）および売上金入金機Ｍ１の左右（操作者から見て左右）である。
【００２８】
図１、図２に示すように、本実施形態の売上金入金機Ｍ１は、入金機本体２と、この入金機本体２に対し着脱可能な台車部３とを有している。
【００２９】
入金機本体２には、入金のため金種混合状態で一括投入された硬貨を一枚ずつ分離して搬送する分離供給部５が上部に設けられている。この分離供給部５は、硬貨が一括投入されるホッパ６と、このホッパ６の下側にその底部を形成するように設けられた水平旋回可能な回転円盤７と、硬貨が一枚のみ通過可能な開口を有し回転円盤７の回転時の遠心力で硬貨を一枚ずつ繰り出すとともに繰り出しのタイミングを制御可能な硬貨分離部８と、硬貨分離部８で一枚ずつ間隔をあけて繰り出された硬貨を水平に搬送する硬貨搬送部９とを有している。
【００３０】
また、入金機本体２には、硬貨搬送部９で搬送中の硬貨の真偽及び金種を識別し計数する識別計数部１１が硬貨搬送部９の上流側に設けられ、硬貨搬送部９におけるこの識別計数部１１の下流側には、識別計数部１１の識別結果に基づいて真以外の硬貨と識別されたリジェクト硬貨を排除するリジェクト部１２が設けられている。さらに、硬貨搬送部９におけるリジェクト部１２の下流側には、識別計数部１１の識別結果に基づいて真の硬貨であって受け入れ可能と識別された硬貨を振り分ける複数箇所、例えば六箇所の振分部１３ａ，１３ｂ，１３ｃ，１３ｄ，１３ｅ，１３ｆが硬貨搬送部９の搬送方向に沿ってこの順に設けられている。ここで、振分部１３ａ〜１３ｆは、すべて入金機本体２の左右方向一側、具体的には右側に配置され、入金機本体２の前面Ｍ１Ａと後面Ｍ１Ｂとを結ぶ方向に並べられている。
【００３１】
これら振分部１３ａ〜１３ｆは、すべて、取り扱う最大径の硬貨（日本国内では５００円硬貨）を落下可能な選別孔１４ａ，１４ｂ，１４ｃ，１４ｄ，１４ｅ，１４ｆを有しており、これらのうち上流側の五つの振分部１３ａ〜１３ｅには、選別孔１４ａ〜１４ｅを個別に開閉可能なシャッタ１５ａ，１５ｂ，１５ｃ，１５ｄ，１５ｅが設けられている。さらに、各振分部１３ａ〜１３ｆのそれぞれの上流側には、硬貨の通過を検知する硬貨センサ１６ａ，１６ｂ，１６ｃ，１６ｄ，１６ｅ，１６ｆが設けられている。同様に、リジェクト部１２も、リジェクト孔１４ｇと、リジェクト孔１４ｇを開閉可能なシャッタ１５ｇと、上流側の硬貨センサ１６ｇとを有している。なお、硬貨センサ１６ａ〜１６ｇは、シャッタ１５ａ〜１５ｅ，１５ｇのうちの対応するものの開閉タイミングを制御するために用いられ、また、硬貨の搬送ジャムの有無を検知するために用いられる。
【００３２】
また、入金機本体２は、リジェクト部１２で硬貨搬送部９から排除された硬貨を受け入れる着脱自在のボックスからなるリジェクト手段２０と、各振分部１３ａ〜１３ｆに一対一で対応して設けられ、各振分部１３ａ〜１３ｆで振り分けられた硬貨をそれぞれ金種混合状態で一時貯留させる複数箇所、具体的には振分部１３ａ〜１３ｆと同数である六箇所の一時貯留部２１ａ，２１ｂ，２１ｃ，２１ｄ，２１ｅ，２１ｆとを有している。
【００３３】
なお、最も上流側つまり最も前側の一時貯留部２１ａは、最も上流側つまり最も前側の振分部１３ａの下方に設けられており、この振分部１３ａのシャッタ１５ａが開かれることで選別孔１４ａから落下された硬貨のみを受け入れて一時貯留させる。次の一時貯留部２１ｂは、振分部１３ｂの下方に設けられ、シャッタ１５ｂが開かれることで選別孔１４ｂから落下された硬貨のみを一時貯留させる。次の一時貯留部２１ｃは、振分部１３ｃの下方に設けられ、シャッタ１５ｃが開かれることで選別孔１４ｃから落下された硬貨のみを一時貯留させる。次の一時貯留部２１ｄは、振分部１３ｄの下方に設けられ、シャッタ１５ｄが開かれることで選別孔１４ｄから落下された硬貨のみを一時貯留させる。次の一時貯留部２１ｅは、振分部１３ｅの下方に設けられ、シャッタ１５ｅが開かれることで選別孔１４ｅから落下された硬貨のみを一時貯留させる。最も下流側つまり最も後側の一時貯留部２１ｆは、振分部１３ｆの下方に設けられ、選別孔１４ｆから落下された硬貨のみを一時貯留させる。
【００３４】
一時貯留部２１ａ〜２１ｆは、左右方向に水平移動可能な共通の側壁部形成体２２にそれぞれの側壁部が個別に形成されており、この側壁部形成体２２の下側に左右方向に水平移動可能に設けられた共通の底部形成体２３でそれぞれの下部開口部が閉塞可能とされている。つまり、側壁部形成体２２には、左右に一対の側壁部を有するとともにこれら側壁部の間に各一時貯留部２１ａ〜２１ｆをそれぞれ区分けするための区分側壁部が前後方向に複数、具体的には７つ設けられている。そして、これら一時貯留部２１ａ〜２１ｆのすべての下部開口部を同時に閉塞し、また同時に開放するように前後方向に長い一つの底部形成体２３が設けられている。
【００３５】
図３，４に示すように、側壁部形成体２２は、左右方向に配設されたガイドレール３５で直線移動可能に支持されており、駆動機構部３６で駆動されてガイドレール３５に沿って往復移動する。ここで、側壁部形成体２２は、入金機本体２の右側に配置された振分部１３ａ〜１３ｆの下方の第１の位置と、この第１の位置に対し水平方向に側壁部形成体２２の幅分位置をずらした第２の位置とに往復移動可能であり、これらの各位置に停止させるように、各位置にはそれぞれ図示略のセンサが設けられている。
【００３６】
底部形成体２３は、左右方向に配設されたガイドレール３８で直線移動可能に支持されており、駆動機構部３９で駆動されてガイドレール３８に沿って往復移動する。ここで、底部形成体２３は、上記した第１の位置にある側壁部形成体２２の一時貯留部２１ａ〜２１ｆのすべての下部開口部を同時に閉塞する第１の位置と、この第１の位置に対し水平方向に側壁部形成体２２の幅分位置をずらし、上記した第１の位置にある側壁部形成体２２の一時貯留部２１ａ〜２１ｆのすべての下部開口部を同時に開放する第２の位置とに往復移動可能であり、これらの各位置に停止させるように、各位置にはそれぞれ図示略のセンサが設けられている。
【００３７】
図２に示すように、台車部３は、下部に設けられたキャスタ３０を転動させることで、入金機本体２に対し前面Ｍ１Ａ側に引き出され、さらに入金機本体２から取り外されて運搬される一方、前面Ｍ１Ａ側から装填されることで入金機本体２に装着されるようになっている。
【００３８】
台車部３には、第１の位置にある側壁部形成体２２および底部形成体２３の鉛直下方に、前後方向に並設して複数、具体的には振分部１３ａ〜１３ｆと同数である六箇所の個別に仕切られた返却収容部２４ａ，２４ｂ，２４ｃ，２４ｄ，２４ｅ，２４ｆを有する返却ボックス２６が着脱自在に設けられており、返却ボックス２６の返却収容部２４ａ〜２４ｆは、各一時貯留部２１ａ〜２１ｆに一時貯留された硬貨を操作者に返却する際のそれぞれの受け入れ先となっている。
【００３９】
各部を制御する制御部（図７参照）２８が、図４に示すように、一時貯留部２１ａ〜２１ｆを構成する側壁部形成体２２および底部形成体２３を第１の位置に位置させ側壁部形成体２２の下部開口部を底部形成体２３で閉塞させた状態で、複数の振分部１３ａ〜１３ｆからの硬貨を受け入れさせ、その後、側壁部形成体２２を第１の位置に位置させたまま、図５に示すように、駆動機構部３９で底部形成体２３を第２の位置へ水平移動させると、一時貯留部２１ａに一時貯留されていた硬貨のみが下方の返却収容部２４ａに、一時貯留部２１ｂに一時貯留されていた硬貨のみが下方の返却収容部２４ｂに、一時貯留部２１ｃに一時貯留されていた硬貨のみが下方の返却収容部２４ｃに、一時貯留部２１ｄに一時貯留されていた硬貨のみが下方の返却収容部２４ｄに、一時貯留部２１ｅに一時貯留されていた硬貨のみが下方の返却収容部２４ｅに、一時貯留部２１ｆに一時貯留されていた硬貨のみが下方の返却収容部２４ｆに、それぞれ投入されることになる。なお、この返却ボックス２６にあっては、六つの個別に仕切られた返却収容部２４ａ〜２４ｆにより構成される必要はなく、一時貯留部２１ａ〜２１ｆの硬貨を受け入れ可能な仕切のない、ただ一つの返却収容部によって構成しても良いものである。
【００４０】
さらに、返却ボックス２６の側方であって第２の位置にある側壁部形成体２２の鉛直下方には、前後方向に並設して複数、具体的には振分部１３ａ〜１３ｆと同数である六箇所の個別に仕切られて収納庫２７ａ，２７ｂ，２７ｃ，２７ｄ，２７ｅ，２７ｆが設けられており（図３参照）、これら収納庫２７ａ〜２７ｆは、各一時貯留部２１ａ〜２１ｆに一時貯留された硬貨をそれぞれ個別に受け入れて収納する。ここで、収納庫２７ａ〜２７ｆは、入金され選別分類された金種混合状態の硬貨のうち所定枚数（例えば、４００枚など）の硬貨がそれぞれ収納可能に設けられており、これら収納庫２７ａ〜２７ｆへの硬貨の収納方法としては、例えば、端から順に満杯になるまで収納する方法や、全ての収納庫２７ａ〜２７ｆに均等に収納する方法などで収納することができる。
【００４１】
制御部２８が、上記と同様、図４に示すように、側壁部形成体２２および底部形成体２３を第１の位置に位置させ側壁部形成体２２の下部開口部を底部形成体２３で閉塞させた状態で、複数の振分部１３ａ〜１３ｆからの硬貨を受け入れさせ、その後、図６に示すように、底部形成体２３はそのままで、駆動機構部３６で側壁部形成体２２のみを第２の位置へ水平移動させることにより、一時貯留部２１ａに一時貯留されていた硬貨のみが下方の収納庫２７ａに、一時貯留部２１ｂに一時貯留されていた硬貨のみが下方の収納庫２７ｂに、一時貯留部２１ｃに一時貯留されていた硬貨のみが下方の収納庫２７ｃに、一時貯留部２１ｄに一時貯留されていた硬貨のみが下方の収納庫２７ｄに、一時貯留部２１ｅに一時貯留されていた硬貨のみが下方の収納庫２７ｅに、一時貯留部２１ｆに一時貯留されていた硬貨のみが下方の収納庫２７ｆに、それぞれ投入されることになる。
【００４２】
図７は、上述した売上金入金機Ｍ１の構成を示すブロック図であり、売上金入金機Ｍ１は、制御部２８を備えている。制御部２８は、売上金入金機Ｍ１の全体を制御するもので、例えば、分離供給部５や硬貨搬送部９を制御するとともに、識別計数部１１の識別結果および硬貨センサ１６ａ〜１６ｇの検知結果に基づいて振分部１３ａ〜１３ｅおよびリジェクト部１２のシャッタ１５ａ〜１５ｅ，１５ｇを個別に制御する。また、図示略のセンサの検知に基づいて側壁部形成体２２および底部形成体２３の駆動機構部３６，３９を個別に制御する。
【００４３】
制御部２８には、上述したホッパ６、識別計数部１１、振分部１３ａ〜１３ｆ、分離供給部５、リジェクト部１２、および、硬貨センサ１６ａ〜１６ｇがそれぞれ接続され、さらに、収納庫２７ａ〜２７ｆが取り出されたことを個別に検知する収納取り出し検知部３７と、返却ボックス２６に返却された硬貨が取り除かれたことを検知する返却貨幣検知部４０と、リジェクト手段２０の硬貨が取り除かれたことを検知するリジェクト状態検知部４１とが接続されて、それぞれの検知結果が入力される。また、ホッパ６には硬貨投入を検知する図示略のセンサが設けられてその検知結果が制御部２８へ入力されるようになっている。なお、ホッパ６への硬貨投入したことを表示操作部２９を介してユーザに入力させることで、ホッパ６への硬貨の投入を検知するようにしても良い。
【００４４】
さらに制御部２８には、ユーザに対する各種情報の表示を行うとともにユーザによる操作入力が可能な表示操作部２９が接続されている。表示操作部２９は、ユーザが操作入力を行うタッチパネル等からなる操作手段２９ａと、ユーザへ識別計数部１１の計数結果等を報知するディスプレイやスピーカ等からなる報知手段２９ｂとを有して構成される。この表示操作部２９では、操作モード、より具体的には入金された硬貨を収納庫２７ａ〜２７ｆに収納する入金モードと、収納庫２７ａ〜２７ｆに収納されている硬貨を機外へ取り出してホッパ６へ投入することで釣銭準備金を作成する釣銭準備金作成モード等が選択設定可能となっている。加えて、表示操作部２９では、釣銭準備金作成モードが選択されているときに釣銭準備金の作成条件として金種毎の枚数等の釣銭準備金情報が操作入力可能になっている。
【００４５】
制御部２８は、識別計数部１１により識別計数されて各一時貯留部２１ａ〜２１ｆへ貯留された硬貨の金種毎の枚数、各収納庫２７ａ〜２７ｆへ収納された硬貨の金種毎の枚数、リジェクト部１２によりリジェクトされた硬貨の金種毎の枚数、および、返却ボックス２６へ返却された硬貨の金種毎の枚数等をそれぞれ記憶する不揮発性のメモリ４６を有している。
【００４６】
さらに制御部２８は、表示操作部２９からの入力に基づき操作モードを切替える切り換え手段４４と、操作モードが釣銭準備金作成モードのときに、表示操作部２９から一の釣銭準備金情報の操作入力がなされると、メモリ４６の記憶情報に基づき各収納庫２７ａ〜２７ｆに収納された硬貨の金種毎の枚数情報と、釣銭準備金情報に含まれる金種毎の枚数情報とを比較する比較手段４２とを有している。加えて制御部２８は、比較手段４２による比較結果に基づき、複数の収納庫２７ａ〜２７ｆのうち収納されている硬貨の金種毎の枚数が釣銭準備金情報に含まれる金種毎の枚数の条件を満たす収納庫を特定し、その収納庫に収納されている硬貨をホッパ６へ投入する旨を案内する案内手段４３と、釣銭準備金の作成を開始する前に収納庫２７ａ〜２７ｆに収納されていた硬貨の金額と、釣銭準備金作成モードで釣銭準備金としてリジェクトした硬貨の金額との差額を求め、この差額と、ホッパ６に投入された硬貨から釣銭準備金を除いた残りの硬貨の金額を、入金モードに切り換えて実際に識別計数部１１により識別計数して求めた金額との一致を確認する確認手段４５とを有している。制御部２８は、確認手段４５により釣銭準備金を除いた残りの硬貨の金額と識別計数した金額との一致が確認されない場合にはその旨を報知手段２９ｂによりユーザに報知する。
【００４７】
次に、上述した構成を備える売上金入金機Ｍ１における動作、とりわけ釣銭準備金を作成する処理について図８のフローチャートを参照しながら説明する。
まず、釣銭準備金の作成を開始するに当たり、ユーザは表示操作部２９を介してオペレータ番号を入力し、その後、表示操作部２９に表示される操作モードの切り換えボタンを操作して釣銭準備金作成モードを選択する。
【００４８】
制御部２８は釣銭準備金作成モードが選択されているか否かを監視しており（ステップＳ０１）、釣銭準備金作成モードが選択されたと判定された場合は、操作モードを釣銭作成モードへ切り換えて図１２又は図１３に示す初期画面を表示操作部２９上に表示させる（ステップＳ０２）。図１２の初期画面は、事前に登録された釣銭準備金の作成パターン（例えば、５パターン）から一の作成パターンを選択するための画面であり、図１３の初期画面は、釣銭準備金の作成パターンを用いないで釣銭準備金としてリジェクトさせる金種毎（例えば日本国内の場合、１円硬貨、５円硬貨、１０円硬貨、５０円硬貨、１００円硬貨および５００円硬貨の六種類）の枚数およびリジェクトさせる回数を、釣銭準備金を作成するための条件（釣銭準備金情報）として直接入力する画面である。これら初期画面は不図示の画面切換キーの操作によりそれぞれ切り替わるようになっている。
【００４９】
次いで、表示操作部２９を介して、初期画面上で釣銭準備金を作成するための条件入力または、上記作成パターンの選択入力を待ち、上述した条件の入力または作成パターンの選択入力がなされると（ステップＳ０３）、この入力内容をユーザに確認させるための操作入力、より具体的には、上記初期画面が作成パターンを選択する画面である場合には「ＥＮＴ」キーの押下を待ち、初期画面が金種毎の枚数およびリジェクトさせる回数を直接入力するための画面である場合には「完了」キーが押下されるのを待つ（ステップＳ０４）。ここで、作成パターンが選択されて「ＥＮＴ」キーが押下された場合は、図１４に示すように作成パターンの内容を確認するための画面が表示される。なお、上記作成パターンは、過去の釣銭準備金の作成時などに登録され、メモリ４６に予め記憶されている。
【００５０】
そして、上記「完了」キーまたは「ＥＮＴ」キーが押下されると表示操作部２９に「この設定でよいですか？はい：［ＥＮＴ］、いいえ：［取消］」等の確認を促すメッセージを表示し（ステップＳ０５）、「ＥＮＴ」キーまたは不図示の「取消」キーの何れが押下されたか判定する（ステップＳ０６）。［取消］キーが押下されたと判定された場合には、上述したステップＳ０３の処理に戻り、［ＥＮＴ］キーが押下されたと判定された場合には、上記条件とメモリ４６に記憶されている収納庫２７ａ〜２７ｆの収納硬貨の金種毎の枚数情報とを比較手段４２により比較し、案内手段４３により初期画面で入力された釣銭準備金の作成のための条件を満たす収納庫、具体的には、複数の収納庫２７ａ〜２７ｆのうち収納されている硬貨の金種毎の枚数が上記条件を満たしている収納庫があるか否かを判定する（ステップＳ０７）。
【００５１】
上記条件を満たす収納庫がない場合には（ステップＳ０７でＮＯ）、表示操作部２９へ「条件を満たす収納庫が存在しません。続行：［ＥＮＴ］、取消：［取消］」等の確認を促すメッセージを表示する（ステップＳ１１）。そして［ＥＮＴ］キーまたは［取消］キーの何れが押下されたか判定し（ステップＳ１２）、［取消］キーが押下された場合には上述したステップＳ０３の処理に戻り、他方、［ＥＮＴ］キーが押下された場合（ステップＳ１２でＥＮＴ）および、上記条件を満たす収納庫がある場合には（ステップＳ０７でＹＥＳ）、後述する袋回収処理（ステップＳ０８）、釣銭作成処理（ステップＳ０９）、収納庫戻し処理（ステップＳ１０）を行いこの一連の処理を終了する。
【００５２】
ここで、上述したステップＳ１２において「ＥＮＴ」キーが選択された場合、単一の収納庫に収納されている硬貨だけでは釣銭準備金が作成できないため、後述する袋回収処理において、複数の収納庫の回収が案内される。また、ステップＳ０７において、複数の収納庫２７ａ〜２７ｆのうち条件を満たす収納庫が一つでもあれば、上記条件を満たす収納庫があると判定される。
【００５３】
次に、図９のフローチャートを参照しながらステップＳ０８の袋回収処理について説明する。
まず、収納庫２７ａ〜２７ｆを取り出すための機体扉のロック機構（不図示）が解除されたことが不図示のセンサにより検知されると、制御部２８の案内手段４３により特定された収納庫を案内する収納庫回収画面を表示させる（ステップＳ２１）。図１５は、収納庫回収画面の一例を示したもので、６つの収納庫２７ａ〜２７ｆがそれぞれ「Ａ」〜「Ｆ」で表示されている。そして、これら収納庫２７ａ〜２７ｆの表示「Ａ」〜「Ｆ」のうち上記条件を満たす収納庫の表示のみが点滅等により案内される。
【００５４】
ここで、上記条件を満たす収納庫が複数存在する場合、これら複数の収納庫のうち、収納された硬貨の在り高が最も少ないものが案内される。これは、釣銭準備金を作成する際に、釣銭準備金を除く残りの硬貨を識別計数する時間を短縮すると共に、次回、釣銭準備金を作成する際に一つの収納庫に収納されている硬貨で作成可能な釣銭準備金の上限を維持するためである。ここで、硬貨の在り高とは、金種に無関係なトータル枚数を意味している。
【００５５】
また、単一の収納庫に収納されている硬貨だけでは釣銭準備金が作成できない場合は（ステップＳ１２で「ＥＮＴ」キー押下）、複数の収納庫の中から、収納されている硬貨の金種毎の枚数を加算することで上記条件として設定された金種毎の枚数以上となる複数の収納庫が特定されて案内されるようになっている。
【００５６】
次いでユーザにより「取消」キーが押下されると（ステップＳ２２でＹＥＳ）釣銭作成処理（ステップＳ０９）へ進む一方、「取消」キーが押下されない場合には（ステップＳ２２でＮＯ）、収納取り出し検知部３７の出力に基づき収納庫が引き出されたか否かを判定する（ステップＳ２３）。収納庫の引き出しは上述した不図示の機体扉の開放および収納取り出し検知部３７の検知結果に基づき判定される。なお、機外へ引き出される収納庫を以下「収納庫２７ｘ」と称す。
【００５７】
収納庫２７ｘが引き出された場合（ステップＳ２３でＹＥＳ）、例えば図１６に示すように、「ＬＥＤが点滅している袋を交換してください」等のメッセージが表示された収納庫交換画面を表示して、収納取り出し検知部３７の出力に基づき収納庫が交換セットされたか否かを判定する（ステップＳ２５）。
【００５８】
収納庫２７ｘが交換セットされたと判定されると（ステップＳ２５でＹＥＳ）、図１７に示すように、上述した収納庫交換画面に「完了キーを押してください」等の確認を促すメッセージを表示させ（ステップＳ２６）、ユーザに「完了」キーまたは不図示の「硬貨スタート」キーを押下させる。そして、「完了」キーまたは［硬貨スタート］キーの何れが押下されたか判定する（ステップＳ２７）。「完了」キーが押下された場合はステップＳ０９の収納庫戻し処理へ進み、「硬貨スタート」キーが押下された場合は、ステップＳ２１の処理に戻り収納庫回収画面を表示する。なお、取り出された収納庫２７ｘが未セットの状態で釣銭作成処理へ進んでもよい。
【００５９】
次に、図１０のフローチャートを参照しながらステップＳ０９の釣銭作成処理について説明する。
まず、表示操作部２９に金種一覧画面を表示させ（ステップＳ３１）、さらにユーザに確認および釣銭準備金の作成開始を促す「条件確認後［硬貨スタート］キーを押してください」等のメッセージを表示させる（ステップＳ３２）。図１８は金種一覧画面の一例を示しており、上述した図１３の初期画面と同様に釣銭準備金を作成する条件である金種毎の枚数が表示され、これら金種毎に表示されたリジェクトさせる回数（図中、「××回」）のさらに側方には当該金種における釣銭準備金の作成状況を示す「未計数」、「計数中」、「済」のうち何れか一つが表示されている。なお、図１８においては１円と５円との金種の釣銭作成状況として「済」が表示されるが、釣銭作成処理の開始時には全ての金種において「未計数」が表示される。
【００６０】
次いで、金種一覧画面を確認したユーザにより［取消］キー、［硬貨スタート］キーの何れが押下されたか判定する（ステップＳ３３）。この判定の結果、「取消」キーが押下された場合は、この釣銭作成処理を終了してステップＳ１０の収納庫戻し処理に進む一方、「硬貨スタート」キーが押下された場合には、釣銭作成画面を表示操作部２９へ表示して、上記条件として指定された金種毎の枚数を計数する（ステップＳ３５）。図１９は釣銭作成画面の一例を示しており、現在計数中の金種について反転表示等で強調表示されて作成状況として「計数中」が表示される。さらに、釣銭作成画面の下部にはリジェクト回数の「現在の回数／合計回数」が表示され、加えて計数中の金種と、その計数枚数と、これら金種および計数枚数から算出される金額とがそれぞれ表示される。
【００６１】
ここで、釣銭準備金はリジェクト手段２０にリジェクトされ、釣銭準備金を除く残りの硬貨は一時貯留部２１ａ〜２１ｆ、より具体的には、一時貯留部２１ａが満杯になると一時貯留部２１ｂへ、一時貯留部２１ｂが満杯になると一時貯留部２１ｃへ、というように順次貯留されることとなる。そして、この識別計数の途中でリジェクト手段２０が満杯状態になったこと、または全ての一時貯留部２１ａ〜２１ｆが満杯状態になったことが検出された場合には識別計数動作が中断される。一時貯留部２１ａ〜２１ｆの全てが満杯状態である場合は、一時貯留部２１ａ〜２１ｆに貯留されている硬貨を返却ボックス２６へ移動する。その後、返却ボックス２６の硬貨および上述したリジェクト手段２０が取り除かれたことが検出されると上記識別計数を再開し、この際、再開後に釣銭準備金としてリジェクトされた硬貨の金種毎の枚数と、中断前に釣銭準備金としてリジェクトされ、既にリジェクト手段２０から取り除かれた硬貨の金種毎の枚数との金種毎の合計枚数が求められ、この金種毎の合計枚数が上記条件の金種毎の枚数になったと判定された場合に釣銭準備金を作成するための動作を終了するようになっている。
【００６２】
上記条件として指定された金種について指定枚数の識別計数および指定回数のリジェクトが終了すると、「完了」キーが押下されたか否かを判定する（ステップＳ３６）。「完了」キーが押下された場合は、一時貯留部２１ａ〜２１ｆの硬貨を返却ボックス２６へ返却し（ステップＳ３７）、計数結果を不図示のプリンタにより印字して（ステップＳ３８）、ステップＳ１０の収納庫戻し処理へ進む。
【００６３】
次に、図１１のフローチャートを参照しながらステップＳ１０の収納庫戻し処理を説明する。
まず、計数開始画面を表示操作部２９に表示させて（ステップＳ４１）、返却ボックス２６に返却された硬貨のホッパ６への再投入をユーザに促すメッセージを表示させる（ステップＳ４２）。図２０は、計数開始画面の一例を示したものであって、ユーザに硬貨投入を促すメッセージとして「硬貨を投入して［硬貨スタート］キーを押してください」というメッセージが表示されている。ここで、投入される硬貨は取り出された返却ボックス２６に返却された全ての硬貨である。そして、硬貨が返却ボックス２６から取り除かれホッパ６への投入が検知されると、切り換え手段４４によって操作モードを入金モードへ切り換える。
【００６４】
次いで、ユーザによる「取消」キーの押下、または「硬貨スタート」キーの押下を判定し（ステップＳ４３）、「取消」キーが押下された場合は、釣銭作成処理の終了を上記プリンタにより印字して（ステップＳ４８）メインフローに戻る。
一方、「硬貨スタート」キーが押下された場合は、ホッパ６に投入された硬貨を識別計数するとともに、識別計数した硬貨を一時貯留部２１ｘ（収納庫２７ｘに対応する一時貯留部）に一時貯留して（ステップＳ４４）、識別計数結果を表示操作部２９に表示する（ステップＳ４５）。図２１は、識別計数結果が表示された硬貨金種明細画面の一例を示している。この硬貨金種明細画面には、金種毎の枚数および金額と、全ての金種（硬貨計）の合計枚数とその合計金額とが表示される。ここで、上記収納庫戻し処理で行う識別計数時に異常と判定された硬貨はリジェクトまたは返却されて再度識別計数に供される。
【００６５】
次いで、ユーザが硬貨金種明細画面を確認して「完了」キーまたは「取消」キーを押下するのを待ち、「完了」キーの押下または「取消」キーの押下を判定して（ステップＳ４６）、「取消」キーが押下されたと判定された場合は、一時貯留部２１ｘに貯留されている硬貨を収納庫２７ｘへ収納し、釣銭作成処理の終了を上記プリンタにより印字して（ステップＳ４８）メインフローに戻る。
一方、「完了」キーが押下されたと判定された場合は、収納庫戻し処理による収納結果をプリンタにより印字し（ステップＳ４７）、その後、さらに釣銭作成処理の終了を上記プリンタにより印字して（ステップＳ４８）メインフローに戻る。
【００６６】
ここで、収納庫戻し処理の終了を印字する際には、釣銭準備金の作成を開始する前に収納庫２７ｘに収納されていた硬貨の金額および釣銭準備金としてリジェクトされた硬貨の金額の差額と、ホッパ６に投入された硬貨から釣銭準備金を除いた残りの硬貨を識別計数部１１により識別計数して求めた金額との一致が確認手段４５によって確認され、一致しないと判定された場合には、上記差額および上記金額が一致しないことをユーザに報知すべく上述した収納庫戻し処理の終了印字に加えて、上記差額および上記金額が一致しない旨のメッセージを印字するようになっている。なお、上記差額と上記金額とが一致しないことを表示操作部２９に表示したり、不図示のスピーカで音声出力するようにしても良い。また、上述した確認手段４５により、釣銭準備金を作成するための硬貨が収納されていた収納庫２７ｘにおける釣銭準備金の作成を開始する前の金種毎の枚数（金額）と、釣銭作成処理によって釣銭準備金としてリジェクトされた硬貨の金種毎の枚数（金額）および釣銭準備金を除く残りの硬貨の金種毎の枚数（金額）を加算した金種毎の枚数（金額）との一致を確認して、不一致の場合にその旨をユーザに報知するようにしても良い。
【００６７】
したがって、上述した実施形態の売上金入金機Ｍ１によれば、通常の操作モードである入金モードのときに、ホッパ６へ投入された硬貨を識別計数部１１により識別計数して正常に識別されなかった硬貨をリジェクトする一方、正常に識別された硬貨が一時貯留部２１ａ〜２１ｆに一時貯留された後、収納庫２７ａ〜２７ｆへ収納することができると共に、操作手段２９ａへ釣銭準備金情報が入力され、操作モードが釣銭準備金を作成する釣銭準備金作成モードに切り換えられ、収納庫２７ａ〜２７ｆが機外に取り出されてホッパ６に硬貨が投入されると、この投入された硬貨の中から釣銭準備金情報に含まれる金種毎の枚数に応じた釣銭準備金をリジェクト手段２０からリジェクトする一方、投入された硬貨のうち釣銭準備金としてリジェクトしたものを除く残りの硬貨を一時貯留部２１ａ〜２１ｆへ貯留した後、収納庫２７ａ〜２７ｆまたは返却ボックス２６へ搬送することとなる。従って、入金を行う機構を有効利用して釣銭準備用の専用の機構を設けることなしに釣銭準備金を作成することができるため、釣銭準備用の専用の機構を設けた場合と比較して部品点数を低減しコストの増加および装置の大型化を抑制して、釣銭準備金の準備のための負担を軽減することができる。
さらに、入金モードで適正に識別された収納庫２７ａ〜２７ｆに収納されている硬貨を用いて釣銭準備金を作成するので、例えば、硬貨が正常に識別計数されなくとも、一度正常な硬貨であることが識別された硬貨であるので、当該硬貨をリジェクトせずに一時貯留部２１ａ〜２１ｆへ貯留させた後に収納庫２７ａ〜２７ｆへ収納または返却ボックス２６へ返却させることができ、この結果、迅速に釣銭準備金の作成を行うことができる。
【００６８】
そして、取り出された収納庫２７ｘに収納されている一部の硬貨ではなく全ての硬貨がホッパ６に投入されるので、釣銭準備金を作成する際のユーザの操作手順が統一されるため、操作間違いを低減することができ、釣銭準備金が収納庫２７ａ〜２７ｆに収納されている硬貨の範囲内であれば硬貨の不足により釣銭準備金を作成する処理が中断されるのを防止することができる。
また、収納庫２７ｘに収納されている全ての硬貨が識別計数部１１により識別計数されることとなるため、釣銭準備金を作成しながら計数精査を行うことができる。
【００６９】
さらに、釣銭準備金作成モードで釣銭準備金が作成された後に返却ボックス２６に返却された釣銭準備金を除いた残りの硬貨が、返却貨幣検知部４０により取り除かれたことが検知された場合に、硬貨がホッパ６へ投入されると入金モードに切り換えてこの硬貨を識別計数することができるため、とりわけ釣銭準備金を作成する際に正常に識別計数できなかった硬貨がある場合に、釣銭準備金を除いた残りの硬貨の金種および枚数が正しいか否かを再度確認することができる。
【００７０】
また、釣銭準備金を除いた残りの硬貨が返却ボックス２６から取り除かれてホッパ６に投入されると、入金モードで再度識別計数して一時貯留部２１ｘに貯留し、識別計数結果を報知手段２９ｂによりユーザへ報知して確認操作がなされた後に一時貯留部２１ｘに貯留した硬貨を収納庫２７ｘに収納するので、釣銭準備金を除いた残りの硬貨の金種および枚数が適正であることを確認しながら釣銭準備金の作成を行うことができる。
【００７１】
さらに、釣銭準備金作成前に収納庫２７ｘに収納されていた硬貨の金額と釣銭準備金の金額との差額が、確認手段４５によって釣銭準備金を除いた残りの硬貨の金額に一致していない場合に、収納庫２７ｘや返却ボックス２６から硬貨をホッパ６へ移動させる際に硬貨の遺失や抜き取り等の事故が発生したと推定できるので、釣銭準備金の作成作業中の事故を防止できる。
【００７２】
そして、釣銭準備金を作成する際に、比較手段４２により各収納庫２７ａ〜２７ｆに収納されている硬貨の金種毎の枚数情報と操作入力された釣銭準備金情報とを比較し、この比較結果に基づき案内手段４３が最適な収納庫２７ｘを報知手段２９ｂを介して案内することができるため、収納庫２７ｘの機外への取り出しを円滑に行うことができる。
【００７３】
また、収納されている硬貨の金種毎の枚数が釣銭準備金情報に含まれる金種毎の枚数以上となっている収納庫２７ａ〜２７ｆが複数特定された場合に、特定された収納庫２７ａ〜２７ｆの中から在り高が最も少ない収納庫２７ａ〜２７ｆを特定することで、残額確認にかかる時間を短縮することができ、この結果、硬貨の計数にかかる時間効率を向上することができる。また、在り高が最も少ない収納庫２７ａ〜２７ｆを特定することで、次に行われる他の釣銭準備金の作成処理時にも、収納庫２７ａ〜２７ｆの何れか一つに収納されている硬貨で作成可能な釣銭準備金の上限を維持することができる。
【００７４】
また、収納されている硬貨の金種毎の枚数の和が釣銭準備金情報に含まれる金種毎の枚数以上となる複数の収納庫を特定することで、釣銭準備金情報に含まれる金種毎の枚数の条件に満たない収納庫しかなく複数の収納庫の機外への取り出しが必要となる場合であっても、案内手段４３によって取り出すべき複数の収納庫を案内することができるため、釣銭準備金を作成する際の複数の収納庫の機外への取り出しを円滑に行うことができる。
【００７５】
そして、リジェクト手段２０が満杯状態になった場合や、一時貯留部２１ａ〜２１ｆの全てが満杯状態になった場合に、識別計数動作を中断するため、リジェクト容器や一時貯留部２１ａ〜２１ｆの硬貨を取り除くことができ、さらに、リジェクト容器や一時貯留部２１ａ〜２１ｆの満杯状態が解消されると識別計数動作を再開し、識別計数動作の中断の前後にリジェクトされた硬貨の金種毎の枚数の合計が釣銭準備金情報の金種毎の枚数に達した場合に釣銭準備金の作成動作を終了することができる。
【００７６】
また、釣銭準備金のリジェクトと共に、一時貯留部２１ａ〜２１ｆに貯留されている釣銭準備金を除いた残りの硬貨が返却ボックス２６に返却されて、この返却された硬貨がユーザによって再度ホッパ６へ投入されると、入金モードに切り換えて識別計数し、この際、リジェクト容器や一時貯留部２１ａ〜２１ｆの満杯により識別計数を中断したとしても、満杯状態が解消された時点で釣銭準備金の作成を再開するため、中断が生じていないときと同様に釣銭準備金のリジェクトや釣銭準備金を除く残りの硬貨の収納を完了することができる。
【００７７】
なお、この発明は上述した実施形態の売上金入金機Ｍ１の構成に限られるものではない。上述した実施形態では、釣銭作成モードのときに、一時貯留部２１ａ〜２１ｆに対して識別計数後の硬貨を貯留する際に、一の一時貯留部が満杯になったら次の一時貯留部に貯留するというように硬貨の枚数に応じて使用する一時貯留部の数量を変化させる場合について説明したが、他の実施例として、例えば、複数設けられた収納庫２７ａ〜２７ｆに一対一でそれぞれ複数の一時貯留部２１ａ〜２１ｆを対応付けて設け、硬貨が収納される収納庫２７ｘに一対一で対応付けられた一時貯留部２１ｘにのみ硬貨を貯留させるようにしても良い。この場合の制御処理としては、釣銭準備金作成モードのときに、案内手段４３により案内された収納庫２７ｘが機外に取り出されて硬貨がホッパ６に投入された場合に、識別計数部１１により硬貨を識別計数し、リジェクトされた釣銭準備金を除く残りの硬貨を、複数の一時貯留部２１ａ〜２１ｆの何れか一つに貯留した後、一旦、返却ボックス２６に返却し、この返却ボックス２６に返却した硬貨が取り除かれたことが返却貨幣検知部４０により検知されてホッパ６に硬貨が再投入されると、入金モードでこの硬貨を識別計数部１１により識別計数して、案内手段４３により案内された収納庫２７ｘに対応する一時貯留部２１ｘに貯留した後、収納庫２７ｘに収納する。このように構成することで、複数の収納庫２７ａ〜２７ｆに加え、複数の一時貯留部２１ａ〜２１ｆが設けられている場合に、釣銭準備金を除く残りの硬貨を収納庫２７ａ〜２７ｆに収納させる際に、元々収納されていた収納庫２７ｘに確実に戻すことが可能となる。
【００７８】
さらに、上述した実施形態では、複数の一時貯留部２１ａ〜２１ｆおよび複数の収納庫２７ａ〜２７ｆを設けた場合について説明したが、一時貯留部および収納庫の個数は６つずつに限られず、収納庫および一時貯留部を一つずつ設けるようにしてもよく、また、２以上の適宜の個数を設けるようにしてもよい。
【００７９】
そして、上述した実施形態では、釣銭作成モードのときに、釣銭準備金を除く残りの硬貨を返却ボックス２６に返却する場合について説明したが、例えば、返却ボックス２６への返却および再度の識別計数を省略して、ユーザの操作入力等に基づき、収納庫へ収納させるようにしても良い。この場合、釣銭準備金を除く残りの硬貨を識別計数部１１により精査したいとユーザが考えて収納庫を機外へ取り出したときに、これを検知して自動的に入金モードに切替えるのが望ましい。このように構成することで、ユーザが釣銭準備金を除く残りの硬貨の精査が必要と感じたときにだけ、釣銭準備金を作成した後に収納庫２７ｘに収納された釣銭準備金を除いた残りの硬貨を機外に引き出して、その硬貨をホッパ６へ投入すれば、操作モードが入金モードに切り換わり、硬貨を識別計数して釣銭準備金を除いた残りの硬貨の金種および枚数が正しいか否かを再度確認することができる。
【００８０】
さらに上述した実施形態では、一時貯留部２１ａ〜２１ｆおよび収納庫２７ａ〜２７ｆに金種混合で硬貨を貯留および収納する場合について説明したが、金種別に収納するようにしても良い。この場合、釣銭準備金として必要な金種に対応する収納庫２７ｘを都度機外に引き出すように案内すればよい。
【００８１】
そして、上述した実施形態では、釣銭準備金情報に含まれる金種毎の枚数の条件を満たさない収納庫２７ａ〜２７ｆしかない場合に、案内手段４３が、金種毎の枚数の和が上記条件を満たす複数の収納庫を特定して案内する場合について説明したが、一の収納庫では条件を満たさない旨をユーザに案内するようにしても良い。
【００８２】
また、上述した実施形態では貨幣として硬貨を入金する場合について説明したが、紙幣を入金する装置にも適用することができる。紙幣を入金する装置に適用した場合、ユーザが釣銭準備金作成モードを選択すると共に釣銭準備金情報を入力し、さらに既に入金されて収納されている紙幣を機外に取り出して投入すると、識別計数された紙幣から釣銭準備金が作成されてリジェクトされ、釣銭準備金を除く残りの紙幣が一時貯留部を経由して収納庫へ収納又は、返却部へ返却されることとなる。また、この際、収納庫又は返却部（上述した返却ボックス２６に相当する）の紙幣を再度機外へ取り出すことで入金モードに切り換わるので、これら紙幣を識別計数部により精査することができる。
【符号の説明】
【００８３】
６  ホッパ（投入手段）
１１  識別計数部
２０  リジェクト手段
２１ａ〜２１ｆ  一時貯留部
２６  返却ボックス（返却容器）
２７ａ〜２７ｆ  収納庫
２８  制御部
２９ａ  操作手段
２９ｂ  報知手段
３７  収納取り出し検知部
４０  返却貨幣検知部
４２  比較手段
４３  案内手段
４４  切り換え手段
４５  確認手段
【図１】
2011065381.tif 000003
【図２】
2011065381.tif 000004
【図３】
2011065381.tif 000005
【図４】
2011065381.tif 000006
【図５】
2011065381.tif 000007
【図６】
2011065381.tif 000008
【図７】
2011065381.tif 000009
【図８】
2011065381.tif 000010
【図９】
2011065381.tif 000011
【図１０】
2011065381.tif 000012
【図１１】
2011065381.tif 000013
【図１２】
2011065381.tif 000014
【図１３】
2011065381.tif 000015
【図１４】
2011065381.tif 000016
【図１５】
2011065381.tif 000017
【図１６】
2011065381.tif 000018
【図１７】
2011065381.tif 000019
【図１８】
2011065381.tif 000020
【図１９】
2011065381.tif 000021
【図２０】
2011065381.tif 000022
【図２１】
2011065381.tif 000023